(57)【要約】【課題】  ドレン管から排出されるドレン水の案内溝での自然流下時の流速を増大させ、凍結による歩行者の転倒のおそれを可及的に低減するドレンレールを提供する。【解決手段】  排水用の側溝３から離間して設置された機器２から排出されるドレン水を側溝３まで案内するドレンレール１０は、長尺に形成される基体１４であって、その一方の主面１４ａに案内溝１１が長手方向Ｘに沿って形成される基体１４を含み、基体１４は、案内溝１１の底を規定する溝底部１７を有し、溝底部１７には、長手方向Ｘに延びる複数の突条部１９が、溝幅方向Ｙに並設されることによって、複数の凹溝２０が形成される。【選択図】      図８
2014167239.tif 000002
【特許請求の範囲】
【請求項１】
建物に配設される排水用の側溝から離間して設置された機器から排出されるドレン水を、該排水用の側溝まで案内するドレンレールであって、
一方の主面に、長手方向に沿って形成された、ドレン水が流れる流路となる案内溝を有する長尺の基体を含み、
前記案内溝の底を規定する溝底部には、前記長手方向および前記案内溝の深さ方向の両方に垂直な溝幅方向に並設されて形成される複数の突条部によって、前記長手方向に延びる複数の凹溝が形成されていることを特徴とするドレンレール。
【請求項２】
各突条部は、隣接する凹溝間に形成される頂部を有し、前記案内溝における溝幅方向の中央部に配置される突条部が、残余の突条部よりも、前記頂部における案内溝の深さが小さくなるように形成されていることを特徴とする請求項１に記載のドレンレール。
【請求項３】
前記溝底部は、前記複数の凹溝のうち、前記溝幅方向の最も外側に形成される凹溝の流路断面積が、残余の凹溝の流路断面積よりも大きくなるように形成され、
前記最も外側に形成される凹溝は、前記深さ方向に進むにつれて溝幅が小さくなるように形成されていることを特徴とする請求項２に記載のドレンレール。
【請求項４】
前記案内溝における溝幅方向の中央部に近接して配置される突条部ほど、前記頂部における案内溝の深さが小さくなるように形成されていることを特徴とする請求項２に記載のドレンレール。
【請求項５】
各凹溝は、前記案内溝における溝幅方向の中央部に近接して配置される凹溝ほど、その溝の深さが大きくなるように形成されていることを特徴とする請求項１〜４のいずれか１つに記載のドレンレール。
【請求項６】
各凹溝は、その溝の深さが互いに等しくなるように形成されていることを特徴とする請求項１〜４のいずれか１つに記載のドレンレール。
【請求項７】
各突条部の頂部には、前記案内溝における溝幅方向の中央部から離反するに従って下方に傾斜する傾斜面が形成されていることを特徴とする請求項１〜６のいずれか１つに記載のドレンレール。
【請求項８】
各凹溝の底には、長手方向に沿って、該凹溝内の空間に連通する微小径の流路が形成されていることを特徴とする請求項１〜７のいずれか１つに記載のドレンレール。
【請求項９】
前記基体が、ポリ塩化ビニルよりも撥水性の高い撥水性材料から成ることを特徴とする請求項１〜８のいずれか１つに記載のドレンレール。
【請求項１０】
前記撥水性材料は、シリコーンゴムであることを特徴とする請求項９に記載のドレンレール。
【請求項１１】
請求項１〜１０のいずれか１つに記載のドレンレールと、
前記ドレンレールの長手方向の一端部に接続されるレール接続部であって、
機器から排出されるドレン水を取り込む取水口部と、
前記取水口部から取り込まれたドレン水を、前記ドレンレールに形成された案内溝の、前記中央部よりも溝幅方向の一方側の領域に案内する案内面とを有するレール接続部とを備えることを特徴とするドレン装置。
【発明の詳細な説明】
【技術分野】
【０００１】
本発明は、潜熱回収型ガス給湯器や空気調和機などの機器に設けられるドレン管から排出されるドレン水を、排水用の側溝に導くためのドレンレールおよびそれを備えるドレン装置に関する。
【背景技術】
【０００２】
近年、地球温暖化ガスの排出量を削減し、地球温暖化防止に貢献する高効率給湯器として、たとえば特許文献１に開示されるような潜熱回収型ガス給湯器が普及している。この潜熱回収型ガス給湯器は、その構造上、ガス燃焼に由来する水蒸気が凝縮して凝縮水が生成されるため、その凝縮水を、ドレン管を介してドレン水として機器の外部に排出するように構成されている。
【０００３】
このため、潜熱回収型ガス給湯器を、ベランダにおける窓壁の壁面や、マンションにおける共用の廊下に面するパイプスペース内に設置する際に、ドレン管から排出されるドレン水をそのまま床面へ垂れ流すような状態で設置すると、排出されたドレン水によって、ベランダや共用の廊下の床面にしみや汚れが生じてしまうという問題がある。
【０００４】
このような問題を解決する手段として、従来から、たとえば非特許文献１に開示されるようなドレンレールを設置する方法が知られている。このドレンレールは、ドレン水を案内するための案内溝が長手方向に沿って形成された長尺の部材であり、その案内溝の長手方向の一端部においてドレン管から排出されたドレン水を受け、ベランダや共用の廊下の床面を横断するように延び、一端部とは反対側の他端部がベランダや共用の廊下に設けられた排水用の側溝のへりに配置されるように、床面上に敷設される。
【０００５】
ベランダや共用の廊下の床面には、屋内側から側溝側に向かって１／５０〜１／１００程度の微小な排水勾配が形成されているため、床面の傾斜方向に沿ってドレンレールを延設することで、一端部で受けたドレン水を、他端部に向かって案内溝内を流下させ、他端部において側溝に排出することができる。このように、ドレンレールを用いることで、床面を濡らすことなくドレン水を側溝へ導くことができるので、ドレン水による床面の汚染を防止することができる。
【先行技術文献】
【特許文献】
【０００６】
【特許文献１】特開２００６−１３８５２７号公報
【非特許文献１】”ドレンラインＤＬ（ドレン排水用レール）”、［online］、因幡電機産業株式会社、［２０１２年１２月７日検索］、インターネット＜ＵＲＬ：http://www.inaba-denko.com/jpn/products/drain/dl/index-top.htm＞
【発明の概要】
【発明が解決しようとする課題】
【０００７】
図１２は、非特許文献１に開示される従来技術に係るドレンレール１００の外観を示す図であり、図１２（ａ）はドレンレール１００の平面図を示し、図１２（ｂ）は図１２（ａ）における切断面線ＸＩＩ−ＸＩＩから見た断面図を示している。以下、ドレンレール１００において、長手方向を矢符Ｘで示し、ドレンレール１００における床面への設置面１０１において、長手方向Ｘに垂直な方向を幅方向Ｙとし、長手方向Ｘおよび幅方向Ｙのいずれにも垂直な方向を高さ方向Ｚとする。
【０００８】
従来技術に係るドレンレール１００では、図１２（ｂ）に示すように、案内溝１０２の底を規定する溝底部に、幅方向Ｙに両端部から中央部に向かってなだらかに下方へ傾斜する傾斜面１０３が形成されている。すなわち、ドレンレール１００の案内溝１０２は、幅方向Ｙの中央部において、最も溝の深さが深くなるように形成されている。これにより、案内溝１０２の長手方向Ｘの一端部に滴下したドレン水は、幅方向Ｙの中央部に集められて、一端部から他端部に向かって流下することとなる。
【０００９】
しかしながら、このような構造を有する従来技術に係るドレンレール１００は、ドレン水が幅方向Ｙに拡がり易くなっており、したがって、厳しい寒さの気候条件下において用いられると、一端部に滴下したドレン水が、他端部に到達する前に凍結し、最終的には、ドレンレール１００の案内溝１０２が、凍結したドレン水で充満してしまう。このように、案内溝１０２が凍結したドレン水で充満してしまうと、ベランダで作業を行う際、あるいは共用の廊下を歩行する際に、その凍結した部分で滑ってしまい、転倒してしまうおそれがあるという問題がある。
【００１０】
本発明の目的は、ドレン管から排出されるドレン水の案内溝での自然流下時の流速を増大させ、凍結による歩行者の転倒のおそれを可及的に低減するドレンレールおよびそれを備えるドレン装置を提供することである。
【課題を解決するための手段】
【００１１】
本発明は、建物に配設される排水用の側溝から離間して設置された機器から排出されるドレン水を、該排水用の側溝まで案内するドレンレールであって、
一方の主面に、長手方向に沿って形成された、ドレン水が流れる流路となる案内溝を有する長尺の基体を含み、
前記案内溝の底を規定する溝底部には、前記長手方向および前記案内溝の深さ方向の両方に垂直な溝幅方向に並設されて形成される複数の突条部によって、前記長手方向に延びる複数の凹溝が形成されていることを特徴とするドレンレールである。
【００１２】
また本発明は、各突条部は、隣接する凹溝間に形成される頂部を有し、前記案内溝における溝幅方向の中央部に配置される突条部が、残余の突条部よりも、前記頂部における案内溝の深さが小さくなるように形成されていることを特徴とする。
【００１３】
また本発明は、前記溝底部は、前記複数の凹溝のうち、前記溝幅方向の最も外側に形成される凹溝の流路断面積が、残余の凹溝の流路断面積よりも大きくなるように形成され、
前記最も外側に形成される凹溝は、前記深さ方向に進むにつれて溝幅が小さくなるように形成されていることを特徴とする。
【００１４】
また本発明は、前記案内溝における溝幅方向の中央部に近接して配置される突条部ほど、前記頂部における案内溝の深さが小さくなるように形成されていることを特徴とするドレンレールである。
【００１５】
また本発明は、各凹溝は、前記案内溝における溝幅方向の中央部に近接して配置される凹溝ほど、その溝の深さが大きくなるように形成されていることを特徴とする。
【００１６】
また本発明は、各凹溝は、その溝の深さが互いに等しくなるように形成されていることを特徴とする。
【００１７】
また本発明は、各突条部の頂部には、前記案内溝における溝幅方向の中央部から離反するに従って下方に傾斜する傾斜面が形成されていることを特徴とする。
【００１８】
また本発明は、各凹溝の底には、長手方向に沿って、該凹溝内の空間に連通する微小径の流路が形成されていることを特徴とする。
【００１９】
また本発明は、前記基体が、ポリ塩化ビニルよりも撥水性の高い撥水性材料から成ることを特徴とする。
【００２０】
また本発明は、前記撥水性材料は、シリコーンゴムであることを特徴とする。
【００２１】
また本発明は、前記ドレンレールと、
前記ドレンレールの長手方向の一端部に接続されるレール接続部であって、
機器から排出されるドレン水を取り込む取水口部と、
前記取水口部から取り込まれたドレン水を、前記ドレンレールに形成された案内溝の、前記中央部よりも溝幅方向の一方側の領域に案内する案内面とを有するレール接続部とを備えることを特徴とするドレン装置である。
【発明の効果】
【００２２】
本発明によれば、ドレン管から排出されるドレン水の案内溝での自然流下時の流速を増大させ、凍結による歩行者の転倒のおそれを可及的に低減することができる。
【図面の簡単な説明】
【００２３】
【図１】本発明の一実施形態に係るドレン装置１の使用状態の一例を示す図である。
【図２】本発明の第１の実施形態に係るドレンレール１０の平面図である。
【図３】図２における切断面線ＩＩＩ−ＩＩＩから見たドレンレール１０の断面図である。
【図４】ドレン装置１に用いられるレール接続部３０の構成を示す図である。
【図５】本発明の第２の実施形態に係るドレンレール７０の外観を示す斜視図である。
【図６】ドレンレール７０の平面図である。
【図７】ドレンレール７０を側溝側端部１３から見た正面図である。
【図８】図６における切断面線ＶＩＩＩ−ＶＩＩＩから見たドレンレール７０の断面図である。
【図９】本発明の第３の実施形態に係るドレンレール４０を長手方向Ｘに垂直な仮想一平面で切断したときの断面図である。
【図１０】本発明の第４の実施形態に係るドレンレール５０を長手方向Ｘに垂直な仮想一平面で切断したときの断面図である。
【図１１】本発明の第５の実施形態に係るドレンレール６０を長手方向Ｘに垂直な仮想一平面で切断したときの断面図である。
【図１２】従来技術に係るドレンレール１００の外観を示す図である。
【発明を実施するための形態】
【００２４】
図１は、本発明の一実施形態に係るドレン装置１の使用状態の一例を示す図である。ドレン装置１は、ドレン水を排出する機器２、たとえば潜熱回収型ガス給湯器や空気調和機の室外機などのような機器２を、ベランダにおける窓壁の壁面や、マンションにおける共用の廊下に面するパイプスペース内に設置する場合に、機器２から排出されるドレン水を、ベランダやマンションにおける共用の廊下に設けられている排水用の側溝３まで導くための装置である。
【００２５】
なお、図１では、ドレン装置１が、ベランダにおける窓壁４の壁面４ａに設置された潜熱回収型ガス給湯器２から排出されるドレン水を、仮想線で示す腰壁５の下部近傍に、腰壁５に沿って設けられた排水用の側溝３まで導くための装置として用いられる場合を例示している。
【００２６】
本実施形態に係るドレン装置１は、図１に示すように、ベランダや共用の廊下を横断するように床面６に敷設され、ドレン水を案内するための案内溝１１がその長手方向に沿って形成される長尺のドレンレール１０と、床面６に敷設されたドレンレール１０の長手方向における一方側の端部であって、機器２が設置される側に配置される端部（以下、「機器側端部１２」と称する）に接続され、機器２に設けられたドレン管２ａから排出されるドレン水を、ドレンレール１０に形成される案内溝１１へ導くためのレール接続部３０とを含んで構成される。
【００２７】
以下、図２および図３を参照して、本発明の第１の実施形態に係るドレンレール１０の詳細な構造について説明する。図２は、本発明の第１の実施形態に係るドレンレール１０の平面図である。図３は、図２における切断面線ＩＩＩ−ＩＩＩから見たドレンレール１０の断面図であり、床面６に敷設された状態を示している。
【００２８】
以下、ドレンレール１０において、その長手方向を矢符Ｘで示し、ドレンレール１０に形成された案内溝１１の溝幅方向を矢符Ｙで示し、長手方向Ｘおよび溝幅方向Ｙのいずれにも垂直な方向を高さ方向Ｚとする。すなわち、高さ方向Ｚは、案内溝１１の深さ方向に一致する方向である。
【００２９】
本実施形態に係るドレンレール１０は、長尺に形成される基体１４を含んで構成され、基体１４における高さ方向Ｚの一方側の表面（一方の主面）１４ａには、ドレン水が流れる流路となる案内溝１１が長手方向Ｘに沿って形成され、基体１４における高さ方向Ｚの他方側の表面（他方の主面）１４ｂには、床面６へ敷設する際に床面６に対向して配置される設置面部１５が形成されている。この設置面部１５には、高さ方向Ｚに垂直で平坦な設置面１６が形成されている。
【００３０】
ドレンレール１０は、図１に示すように、ベランダや共用の廊下の床面６を横断するように敷設されるため、敷設時の床面６からの突出量が大きくなってしまうと、歩行者がドレンレール１０に躓いて転倒してしまうおそれがある。そこで、基体１４における設置面１６からの高さ（高さ方向Ｚの基体１４の寸法）Ｈは、できるだけ低くなるように設計されることが好ましく、たとえば６ｍｍ程度に設計される。また、基体１４の幅（溝幅方向Ｙの基体１４の寸法）Ｗは、充分な大きさの流路断面を有する案内溝１１を形成することができるように、たとえば５０ｍｍ程度に設計される。
【００３１】
基体１４は、案内溝１１の底を規定する溝底部１７と、溝底部１７における溝幅方向Ｙの両端部から高さ方向Ｚの一方側に立設する一対の溝壁部１８とを有し、この溝底部１７と一対の溝壁部１８とによって、高さ方向Ｚの一方側に開放し、長手方向Ｘに沿って延びる案内溝１１が形成される。
【００３２】
より詳細には、この溝底部１７および一対の溝壁部１８はそれぞれ、ドレンレール１０における長手方向Ｘの一方の端部である機器側端部１２から、長手方向Ｘの他方の端部である側溝側端部１３まで直線状に延びるように形成され、これにより、案内溝１１は、機器側端部１２から側溝側端部１３まで直線状に延在している。
【００３３】
本実施形態に係るドレンレール１０は、この溝底部１７の構造に特徴を有している。具体的には、溝底部１７には、長手方向Ｘに沿って機器側端部１２から側溝側端部１３まで直線状に延在する複数の突条部１９が、溝幅方向Ｙに並設されており、この複数の突条部１９によって、長手方向Ｘに沿って機器側端部１２から側溝側端部１３まで直線状に延在する複数の凹溝２０が形成されている。各凹溝２０は、高さ方向Ｚの他方側に進むにつれて溝幅が小さくなるように形成され、複数の凹溝２０のうち、溝幅方向Ｙの最も外側に形成される凹溝２０以外の凹溝２０は、長手方向Ｘに垂直な断面がＶ字状となるように形成されている。
【００３４】
本実施形態では、図３に示すように、９本の突条部１９によって、１０本の凹溝２０が形成されている。なお、突条部１９の数は、１０本以上であってもよく、８本以下であってもよい。
【００３５】
各突条部１９は、高さ方向Ｚの一方側に最も突出した部分である頂部１９ａを隣接する凹溝２０間に有しており、溝底部１７は、案内溝１１における溝幅方向Ｙの中央部２１に近接して配置される突条部１９ほど、頂部１９ａにおける案内溝１１の深さＤが小さくなるように形成されている。
【００３６】
換言すれば、溝底部１７は、案内溝１１における溝幅方向Ｙの中央部２１に近接して配置される突条部１９ほど、頂部１９ａの高さ方向Ｚにおける設置面１６からの距離Ｄ’が大きくなるように形成されている。
【００３７】
また、溝底部１７は、図３に示すように、各凹溝２０における底の設置面１６からの高さが互いに等しくなるように形成されている。すなわち、溝底部１７は、案内溝１１における溝幅方向Ｙの中央部２１に近接して配置される凹溝２０ほど、その溝の深さが大きくなるように形成されている。
【００３８】
本実施形態では、各突条部１９は、溝幅方向Ｙにおいて外側から順に、Ｄ’＝２．１ｍｍ，２．１ｍｍ，２．７ｍｍ，３．３ｍｍ，３．９ｍｍとなるように設計され、隣接する頂部１９ａの溝幅方向Ｙの間隔が４ｍｍとなるように設計され、各凹溝２０の底と設置面１６との高さ方向Ｚの距離が１．５ｍｍとなるように設計されている。
【００３９】
なお、このような形状に形成されるドレンレール１０は、ポリ塩化ビニルよりも撥水性の高い撥水性樹脂材料から成るのが好ましく、このような撥水性樹脂材料としては、ＥＰＤＭ（Ethylene Propylene Diene Monomer）およびシリコーンゴムなどを挙げることができる。
【００４０】
また、これらの撥水性樹脂材料のうち、ＥＰＤＭを用いてドレンレール１０を作製すると、シリコーンゴムを用いてドレンレール１０を作製する場合と比較して、その表面が粗く仕上がってしまい、流路の抵抗が大きくなってしまうおそれがあるため、シリコーンゴムを用いてドレンレール１０を作製する方が好ましい。
【００４１】
ここで、シリコーンゴムを用いてドレンレール１０を作製するときの手順について説明する。ドレンレール１０の作製手順は、大略的に４つの工程から成り、具体的には、練り工程、一次加硫工程、二次加硫工程、および切断工程の４つの工程から成り、この順序に従って実行されることによって作製される。
【００４２】
先ず、練り工程では、シリコーンゴムに、顔料および架橋剤をロールで添加し、均一に分散させるように練られる。練り工程の終了後、一次加硫工程では、所望の形状に押し出すための口金（ダイ）が取付けられた押出機を用いて成型し、押出機によって押し出された未加硫の成型品を網目状のコンベアベルトに乗載して、約３００度の加硫槽内を１１０秒程度通過させることによって、横型連続熱空気加硫（ＨＡＶ）により加硫が行われる。このとき、未加硫の成型品をそのまま加硫槽へ投入すると、コンベアベルトの網目模様が成型品表面に付いてしまうため、押出機と加硫槽との間に、約５００度のホットトンネルを設け、このホットトンネルを通過させることによって、成型品表面を加硫し、網目模様が付くのを軽減するのが好ましい。
【００４３】
一次加硫工程の終了後、二次加硫工程では、一次加硫時に残留した低分子量シロキサンおよび架橋剤の分解残渣を、高温で長時間加熱処理することによって揮発させ、ゴム成分の中から除去する。そして、二次加硫工程の終了後、切断工程において、専用の裁断機を用い、所定の形状に裁断される。
【００４４】
このようにして作製されたドレンレール１０は、図１に示すように、機器側端部１２が屋内側に配置され、側溝側端部１３が排水用の側溝３のへりに配置されるように、床面６を横断して敷設される。
【００４５】
ベランダやマンションにおける共用の廊下の床面６は、屋内側から側溝３側に向かって１／５０〜１／１００程度の微小な排水勾配で下方に傾斜するように形成されているため、床面６の傾斜方向Ａに沿ってドレンレール１０を敷設することで、機器側端部１２において案内溝１１へ流入したドレン水は、側溝側端部１３に向かって自然流下し、側溝側端部１３から側溝３へ排出される。
【００４６】
このように、ドレンレール１０は、ドレン水を排出する機器２が排水用の側溝３から離間して設置されている場合に、機器２から排出されたドレン水を、案内溝１１内を自然流下させて側溝３へ導くので、ドレン水による床面６の汚染を防止することができる。
【００４７】
そして、本実施形態によれば、ドレンレール１０における溝底部１７が、前記のような形状に構成されているので、案内溝１１へ流入したドレン水は、凹溝２０に流入して、側溝側端部１３へ向けて自然流下することとなる。
【００４８】
このように、ドレン水を凹溝２０に流入させることで、ドレン水が案内溝１１内で溝幅方向Ｙへの拡がってしまうことを抑制し、流路の摩擦による影響を可及的に低減することができる。これにより、図１２に示すような従来技術に係るドレンレール１００の案内溝１０２を自然流下させる場合に比べて、ドレン水が自然流下するときの流速を増大させることができる。
【００４９】
このように、ドレン水の流速を増大させることができるので、厳しい寒さの気候条件下において用いられる場合であっても、案内溝１１へ流入したドレン水のうち、できるだけ多くの量のドレン水を、凍結してしまう前に側溝３へ排出することができる。したがって、ドレンレール１０における案内溝１１が凍結したドレン水で満たされてしまうような事態を発生しにくくすることができ、凍結したドレン水で滑ることによる歩行者の転倒のおそれを可及的に低減することができる。
【００５０】
また、本実施形態によれば、ドレンレール１０は、ポリ塩化ビニルよりも撥水性の高い撥水性樹脂材料から成るので、ポリ塩化ビニルから成る場合に比べて、流路の抵抗を低減することができ、ドレン水が自然流下するときの流速を増大させることができる。
【００５１】
このように、本実施形態に係るドレンレール１０は、溝底部１７に複数の凹溝２０を設け、さらに撥水性樹脂材料で作製しているので、これらの相乗効果によって、機器２から排出されたドレン水が自然流下するときの流速を可及的に増大させることができ、これにより、できるだけ多くの量のドレン水を、凍結してしまう前に側溝３へ排出することができる。
【００５２】
また、本実施形態によれば、溝底部１７が、案内溝１１における溝幅方向Ｙの中央部２１に近接して配置される突条部１９ほど、頂部１９ａの高さ方向Ｚにおける設置面１６からの距離Ｄ’が大きくなるように形成されているので、機器２から排出されたドレン水を、案内溝１１において中央部２１よりも溝幅方向Ｙの一方側の領域に流入させるように敷設することで、通常は、その一方側の領域だけを用いてドレン水を側溝３へ排出し、該一方側の領域が凍結したドレン水で満たされると、その一方側の領域から溢水したドレン水を、他方側の領域を利用して側溝３まで案内することができる。
【００５３】
なお、図２に示すように、本実施形態に係るドレンレール１０には、側溝側端部１３において、平面視で略Ｍ字状の切欠き２２が形成されている。このような切欠き２２を形成しておくことによって、側溝側端部１３まで流下してきたドレン水を、効率よく側溝３へ滴下させることができ、すなわち、ドレン水のドレンレール１０からの排出性を向上させ、側溝側端部１３でのドレン水の凍結を可及的に防止することができる。
【００５４】
図４は、ドレン装置１に用いられるレール接続部３０の構成を示す図である。図４（ａ）はレール接続部３０の斜視図であり、図４（ｂ）はレール接続部３０の平面図であり、図４（ｃ）はレール接続部３０の正面図であり、図４（ｄ）は、図４（ｂ）における切断面線ＩＶ−ＩＶから見た断面図である。
【００５５】
本実施形態に係るレール接続部３０は、機器２から排出されるドレン水を取り込む取水口部３１と、取水口部３１から取り込まれたドレン水を、ドレンレール１０に形成された案内溝１１の溝幅方向Ｙにおける中央部２１よりも一方側の領域に案内する案内面３２と、ドレンレール１０の機器側端部１２が連結される連結部３３とを備えて構成される。
【００５６】
取水口部３１は、円筒状に形成され、その上端に設けられる開口部３１ａから、ドレン水が取り込まれる。取水口部３１の下方には、開口部３１ａから取り込まれたドレン水を受けるように平坦な案内面３２が設けられている。
【００５７】
この案内面３２は、取水口部３１を介して取り込まれたドレン水を、連結部３３に連結されたドレンレール１０の機器側端部１２における、案内溝１１の溝幅方向Ｙの中央部２１よりも一方側の領域に向かって案内するように、より詳細には、溝幅方向Ｙの最も外側に形成されている一対の凹溝２０のうちの一方の凹溝２０に向かって案内するように、取水口部３１の軸線に対して傾斜して形成されている。すなわち、案内面３２は、連結部３３に連結されるドレンレール１０の溝幅方向Ｙにおいて、外方へ進むに従って下方へ傾斜するように形成されるとともに、該ドレンレール１０の長手方向Ｘにおいては、該ドレンレール１０の機器側端部１２へ近接する方向へ進むに従って下方へ傾斜するように形成されている。
【００５８】
本実施形態に係るドレン装置１は、このような構造を有するレール接続部３０を、ドレンレール１０の機器側端部１２に接続することによって構成されるので、機器２から排出されたドレン水を、取水口部３１から取込み、前記のように２方向に傾斜する案内面３２によって、案内溝１１において中央部２１よりも溝幅方向Ｙの一方側の領域における最も外側の凹溝２０へ流入させることができる。これにより、通常は、その一方側の領域における最も外側の凹溝２０だけを用いてドレン水を側溝３へ排出し、該一方側の領域が凍結したドレン水で満たされると、該一方側の領域から溢水したドレン水を、他方側の領域を利用して側溝３まで案内するように、ドレンレール１０を機能させることができる。
【００５９】
図５は、本発明の第２の実施形態に係るドレンレール７０の外観を示す斜視図である。図６は、ドレンレール７０の平面図である。図７は、ドレンレール７０を側溝側端部１３から見た正面図である。図８は、図６における切断面線ＶＩＩＩ−ＶＩＩＩから見たドレンレール７０の断面図であり、床面６に敷設された状態を示している。
【００６０】
本実施形態に係るドレンレール７０は、溝底部１７Ｄの構造および側溝側端部１３の形状を除き、他の構成については第１の実施形態に係るドレンレール１０と同様に構成されるため、同一の構成については同一の参照符を付して示す。
【００６１】
溝底部１７Ｄには、長手方向Ｘに沿って機器側端部１２から側溝側端部１３まで直線状に延在する複数の突条部１９が、溝幅方向Ｙに並設されており、この複数の突条部１９によって、長手方向Ｘに沿って機器側端部１２から側溝側端部１３まで直線状に延在する複数の凹溝２０が形成されている。図８に示すように、本実施形態では、７本の突条部１９によって、８本の凹溝２０が形成されている。
【００６２】
各凹溝２０は、高さ方向Ｚの他方側に進むにつれて溝幅が連続的に小さくなるように形成され、８本の凹溝２０のうち、溝幅方向Ｙの最も外側に形成される凹溝２０である最外凹溝２０ａ以外の６本の凹溝２０は、長手方向Ｘに垂直な断面がＶ字状となるように形成されている。また本実施形態では、溝底部１７Ｄは、最外凹溝２０ａの流路断面積が、最外凹溝２０ａを除く残余の各凹溝２０の流路断面積よりも大きくなるように形成されている。
【００６３】
各突条部１９は、高さ方向Ｚの一方側に最も突出した部分である頂部１９ａを隣接する凹溝２０間に有しており、溝底部１７Ｄは、案内溝１１における溝幅方向Ｙの中央部２１に配置される突条部１９が、残余の突条部１９よりも、頂部１９ａにおける案内溝１１の深さＤが小さくなるように形成されている。
【００６４】
本実施形態では、溝幅方向Ｙの中央部２１に配置される突条部１９を除く残余の６つの突条部１９は、頂部１９ａにおける案内溝１１の深さＤが互いに等しくなるように形成されている。また、溝底部１７Ｄは、図８に示すように、各凹溝２０における底の設置面１６からの高さが互いに等しくなるように形成されている。
【００６５】
頂部１９ａの高さ方向Ｚにおける設置面１６からの距離をＤ’とすると、本実施形態では、溝幅方向Ｙの中央部２１に配置される突条部１９はＤ’＝３．９ｍｍとなり、残余の６つの突条部１９はＤ’＝３．３ｍｍとなるように設計されている。また、隣接する頂部１９ａの溝幅方向Ｙの間隔が４ｍｍとなるように設計され、各凹溝２０の底と設置面１６との高さ方向Ｚの距離が１．５ｍｍとなるように設計されている。
【００６６】
さらに、最外凹溝２０ａを規定する突条部１９、すなわち、溝幅方向Ｙの最も外側に配置されている突条部１９は、溝壁部１８側に形成される傾斜面が、溝幅方向Ｙにおいて、頂部１９ａから溝壁部１８の近傍まで延びるように形成されている。
【００６７】
なお、このような形状に形成されるドレンレール７０は、第１の実施形態に係るドレンレール１０と同様に、ポリ塩化ビニルよりも撥水性の高い撥水性樹脂材料から成るのが好ましく、本実施形態では、シリコーンゴムから成っている。
【００６８】
本実施形態によれば、ドレンレール７０における溝底部１７Ｄが、前記のような形状に構成されているので、案内溝１１へ流入したドレン水は、凹溝２０に流入して、側溝側端部１３へ向けて自然流下することとなる。
【００６９】
このとき、ドレン水を最外凹溝２０ａに流入させることで、ドレン水が案内溝１１内で溝幅方向Ｙへの拡がってしまうことを抑制し、流路の摩擦による影響を可及的に低減することができる。これにより、図１２に示すような従来技術に係るドレンレール１００の案内溝１０２を自然流下させる場合に比べて、ドレン水が自然流下するときの流速を増大させることができる。
【００７０】
また、本実施形態に係るドレンレール７０は、図６に示すように、側溝側端部１３において、最外凹溝２０ａが、機器側端部１２から側溝側端部１３に向かう方向に進むにつれて先細となるように切欠き２２Ｄが形成されている。より詳細には、溝幅方向Ｙの外側から中央部２１に向かうにつれて、機器側端部１２の方へ進むように傾斜する切断面が形成されるように切欠き２２Ｄが形成されている。
【００７１】
本実施形態では、このような切欠き２２Ｄが側溝側端部１３に形成されているので、最外凹溝２０ａへ流入し、側溝側端部１３まで流下してきたドレン水は、先細に形成された最外凹溝２０ａの溝底へ導かれて、側溝３へ排出されることとなる。したがって、このような切欠き２２Ｄが形成されていない場合、および第１の実施形態のようにＭ字状に切欠き２２を形成した場合と比較して、側溝側端部１３において、最外凹溝２０ａから排出されずに最外凹溝２０ａ内に留まるドレン水の量を可及的に低減することができる。すなわち、ドレン水のドレンレール７０からの排出性を向上させることで、側溝側端部１３でのドレン水の凍結を可及的に防止することができる。
【００７２】
図９は、本発明の第３の実施形態に係るドレンレール４０を長手方向Ｘに垂直な仮想一平面で切断したときの断面図である。本実施形態に係るドレンレール４０は、溝底部１７Ａの構造を除き、他の構成については第１の実施形態に係るドレンレール１０と同様に構成されるため、同一の構成については同一の参照符を付し、重複する説明を省略する。
【００７３】
本実施形態では、溝底部１７Ａには、長手方向Ｘに沿って機器側端部１２から側溝側端部１３まで直線状に延在する複数の突条部１９が、溝幅方向Ｙに並設されており、この複数の突条部１９によって、長手方向Ｘに沿って機器側端部１２から側溝側端部１３まで直線状に延在する複数のＵ字状の凹溝２０が形成されている。
【００７４】
各突条部１９は、高さ方向Ｚの一方側に最も突出した部分である頂部１９ａを隣接する凹溝２０間に有しており、溝底部１７Ａは、案内溝１１における溝幅方向Ｙの中央部２１に近接して配置される突条部１９ほど、頂部１９ａにおける案内溝１１の深さＤが小さくなるように形成されている。
【００７５】
換言すれば、溝底部１７Ａは、案内溝１１における溝幅方向Ｙの中央部２１に近接して配置される突条部１９ほど、頂部１９ａの高さ方向Ｚにおける設置面１６からの距離Ｄ’が大きくなるように形成されている。
【００７６】
さらに、各突条部１９の頂部１９ａには、案内溝１１における溝幅方向Ｙの中央部２１から離反するに従って下方に傾斜する傾斜面が形成されている。
【００７７】
また、溝底部１７Ａは、図９に示すように、各凹溝２０における底の設置面１６からの高さが互いに等しくなるように形成されている。すなわち、溝底部１７Ａは、案内溝１１における溝幅方向Ｙの中央部２１に近接して配置される凹溝２０ほど、その溝の深さが大きくなるように形成されている。
【００７８】
本実施形態では、各凹溝２０の溝幅方向Ｙにおける寸法、および溝幅方向Ｙの中央に設けられる突条部１９を除く残余の８つの突条部１９の溝幅方向Ｙにおける寸法は、１．７５ｍｍとなるように設計され、溝幅方向Ｙの中央に設けられる突条部１９の溝幅方向Ｙにおける寸法は、３．５ｍｍとなるように設計されている。
【００７９】
溝底部１７Ａが上記のように構成されるドレンレール４０においても、第１の実施形態に係るドレンレール１０と同様の効果を奏する。
【００８０】
図１０は、本発明の第４の実施形態に係るドレンレール５０を長手方向Ｘに垂直な仮想一平面で切断したときの断面図である。本実施形態に係るドレンレール５０は、溝底部１７Ｂの構造を除き、他の構成については第１の実施形態に係るドレンレール１０と同様に構成されるため、同一の構成については同一の参照符を付し、重複する説明を省略する。
【００８１】
本実施形態では、溝底部１７Ｂには、長手方向Ｘに沿って機器側端部１２から側溝側端部１３まで直線状に延在する複数の突条部１９が、溝幅方向Ｙに並設されており、この複数の突条部１９によって、長手方向Ｘに沿って機器側端部１２から側溝側端部１３まで直線状に延在する複数のＶ字状の凹溝２０が形成されている。
【００８２】
各突条部１９は、高さ方向Ｚの一方側に最も突出した部分である頂部１９ａを隣接する凹溝２０間に有しており、溝底部１７Ｂは、案内溝１１における溝幅方向Ｙの中央部２１に近接して配置される突条部１９ほど、頂部１９ａにおける案内溝１１の深さＤが小さくなるように形成されている。
【００８３】
換言すれば、溝底部１７Ｂは、案内溝１１における溝幅方向Ｙの中央部２１に近接して配置される突条部１９ほど、頂部１９ａの高さ方向Ｚにおける設置面１６からの距離Ｄ’が大きくなるように形成されている。
【００８４】
また、溝底部１７Ｂは、図１０に示すように、各凹溝２０の深さが互いに等しくなるように形成されている。すなわち、溝底部１７Ｂは、案内溝１１における溝幅方向Ｙの中央部２１に近接して配置される凹溝２０ほど、その底の設置面１６からの高さが高くなるように形成されている。本実施形態では、各凹溝２０の深さが、たとえば１ｍｍとなるように設計されている。
【００８５】
溝底部１７Ｂが上記のように構成されるドレンレール５０においても、第１の実施形態に係るドレンレール１０と同様の効果を奏する。
【００８６】
図１１は、本発明の第５の実施形態に係るドレンレール６０を長手方向Ｘに垂直な仮想一平面で切断したときの断面図である。本実施形態に係るドレンレール６０は、溝底部１７Ｃの構造を除き、他の構成については第１の実施形態に係るドレンレール１０と同様に構成されるため、同一の構成については同一の参照符を付し、重複する説明を省略する。
【００８７】
本実施形態では、溝底部１７Ｃには、長手方向Ｘに沿って機器側端部１２から側溝側端部１３まで直線状に延在する複数の突条部１９が、溝幅方向Ｙに並設されており、この複数の突条部１９によって、長手方向Ｘに沿って機器側端部１２から側溝側端部１３まで直線状に延在する複数の凹溝２０が形成されている。
【００８８】
各突条部１９は、高さ方向Ｚの一方側に最も突出した部分である頂部１９ａを隣接する凹溝２０間に有しており、溝底部１７Ｃは、案内溝１１における溝幅方向Ｙの中央部２１に近接して配置される突条部１９ほど、頂部１９ａにおける案内溝１１の深さＤが小さくなるように形成されている。
【００８９】
換言すれば、溝底部１７Ｃは、案内溝１１における溝幅方向Ｙの中央部２１に近接して配置される突条部１９ほど、頂部１９ａの高さ方向Ｚにおける設置面１６からの距離Ｄ’が大きくなるように形成されている。
【００９０】
また、溝底部１７Ｃは、図１１に示すように、各凹溝２０における底の設置面１６からの高さが互いに等しくなるように形成され、各凹溝２０の底には、長手方向Ｘに沿って、該凹溝２０内の空間に連通する微小径の流路２５が形成されている。本実施形態では、たとえば直径が１ｍｍの円柱状の流路２５が形成されている。
【００９１】
溝底部１７Ｃが上記のように構成されるドレンレール６０においても、第１の実施形態に係るドレンレール１０と同様の効果を奏する。
【００９２】
なお、本発明の一実施形態に係るドレン装置１は、前記のように、ドレンレール１０とレール接続部３０とによって構成されているが、他の実施形態では、案内溝１１を上方から被覆する蓋体をドレンレール１０に取付けることによって構成されてもよい。
【符号の説明】
【００９３】
１  ドレン装置
１０  ドレンレール
１１  案内溝
１２  機器側端部
１３  側溝側端部
１４  基体
１６  設置面
１７  溝底部
１８  溝壁部
１９  突条部
２０  凹溝
２１  中央部
３０  レール接続部
３１  取水口部
３２  案内面
【図１】
2014167239.tif 000003
【図２】
2014167239.tif 000004
【図３】
2014167239.tif 000005
【図４】
2014167239.tif 000006
【図５】
2014167239.tif 000007
【図６】
2014167239.tif 000008
【図７】
2014167239.tif 000009
【図８】
2014167239.tif 000010
【図９】
2014167239.tif 000011
【図１０】
2014167239.tif 000012
【図１１】
2014167239.tif 000013
【図１２】
2014167239.tif 000014